(57)【要約】【課題】情報処理装置に接続された周辺機器の電源投入／切断を制御して節電効率を高める。【解決手段】複数の周辺機器に接続された情報処理装置は、前記周辺機器の電源設定情報を管理する電源制御テーブルと、前記１または２以上の周辺機器の電源投入／切断を制御する制御部と、を備え、前記制御部は、所定の取引業務を実行する際に、前記電源制御テーブルの前記周辺機器の電源設定情報に基づいて、前記周辺機器の電源投入／切断を制御する。【選択図】図１
2013109507.tif 000002
【特許請求の範囲】
【請求項１】
複数の周辺機器に接続された情報処理装置であって、
前記周辺機器の電源設定情報を管理する電源制御テーブルと、
前記１または２以上の周辺機器の電源投入／切断を制御する制御部と、
を備え、
前記制御部は、
所定の取引業務を実行する際に、前記電源制御テーブルの前記周辺機器の電源設定情報に基づいて、前記周辺機器の電源投入／切断を制御する
ことを特徴とする、情報処理装置。
【請求項２】
前記電源制御テーブルには、前記所定の取引業務を示す取引業務情報と、前記取引業務の処理段階を示す処理段階情報と、各処理段階における前記周辺機器の電源状態とが対応付けて管理されており、
前記制御部は、
所定の取引業務の各処理段階を実行する際に、各処理段階に対応する前記周辺機器の電源状態に応じて、前記周辺機器の電源投入／切断を制御する
ことを特徴とする、請求項１に記載の情報処理装置。
【請求項３】
前記電源制御テーブルにおいて、
前記周辺機器に電源が投入された後初期化処理にかかる時間が、該周辺機器の電源切断後から次の処理段階で使用されるまでの時間より短い場合に、該周辺機器の電源を切断するように設定される
ことを特徴とする、請求項２に記載の情報処理装置
【請求項４】
前記電源制御テーブルにおいて、
所定の取引業務終了時に、該取引業務開始時に使用する前記周辺機器の電源を投入するように設定される
ことを特徴とする、請求項２に記載の情報処理装置。
【請求項５】
前記所定の取引業務は銀行窓口の取引業務であって、
前記電源制御テーブルは、銀行窓口の取引業務毎、各取引業務の処理内容毎に設定される
ことを特徴とする、請求項２に記載の情報処理装置。
【請求項６】
各周辺機器に電源ケーブルを経由して電源を供給する電源タップを備え、
前記電源タップは、前記制御部からの電源制御指示に基づいて、各周辺機器の電源を投入／切断する
ことを特徴とする、請求項１に記載の情報処理装置。
【請求項７】
複数の周辺機器に接続された情報処理装置を用いた情報処理方法であって、
前記情報処理装置は、
前記周辺機器の電源設定情報を管理する電源制御テーブルと、
前記１または２以上の周辺機器の電源投入／切断を制御する制御部と、
を備え、
前記制御部が、
所定の取引業務を実行する際に、前記所定の取引業務に対応する前記電源制御テーブルを読み出す第１のステップと、
前記第１のステップにおいて読み出した前記電源制御テーブルの前記周辺機器の電源設定情報に基づいて、前記周辺機器の電源投入／切断を制御する第２のステップと、
を含むことを特徴とする、情報処理方法。
【発明の詳細な説明】
【技術分野】
【０００１】
本発明は、情報処理装置及び情報処理方法に関し、周辺機器への電源を制御する情報処理装置及び情報処理方法に適用して好適なるものである。
【背景技術】
【０００２】
最近では、１台のＰＣ（Ｐｅｒｓｏｎａｌ  Ｃｏｍｐｕｔｅｒ）等の情報処理装置に幾つかの周辺機器が接続されて、情報処理装置のアプリケーションプログラムにより必要な周辺機器の制御が行われている。例えば、銀行窓口の端末では、１台の端末にスキャナやカードリーダ、または通帳リーダなどの周辺機器が接続されて、必要な周辺機器を利用しながら振込や入金等の各種取引業務が行われている。
【０００３】
通常、業務開始時に全ての周辺機器の電源をオンにして、各種取引業務が行われているが、この場合、取引業務の内容によっては、通電したまま使用されない機器があり、電力が無駄に消費されていた。
【０００４】
近年、省エネへの意識が高まる中で、情報処理装置の周辺機器に対する種々の節電対策が講じられている。例えば、特許文献１では、複数個のコンセントを有するテーブルタップに情報処理装置及び周辺機器が接続されている場合に、各コンセントのオン／オフ切り替えを遠隔地から行って、情報処理装置の周辺機器への電力供給を制御している。また、例えば、上記した銀行窓口では、節電対策として、端末を扱うオペレータにより未使用の周辺機器の電源を個々に手動でオフすることが行われている。
【先行技術文献】
【特許文献】
【０００５】
【特許文献１】特開平９−４４１５２号公報
【特許文献２】特開２００３−１５１７０２号公報
【発明の概要】
【発明が解決しようとする課題】
【０００６】
しかし、オペレータが、これから始める取引業務において利用されない周辺機器を即座に判断し、それぞれの周辺機器の電源スイッチに手を伸ばしてオフにする操作を行うのは煩雑なうえ、操作を行うオペレータによって省電力化の効果にもばらつきが出るという問題があった。
【０００７】
本発明は以上の点を考慮してなされたもので、情報処理装置に接続された周辺機器の電源オン／オフを制御して節電効率を高めることが可能な情報処理装置及び情報処理方法を提案しようとするものである。
【課題を解決するための手段】
【０００８】
かかる課題を解決するために本発明においては、複数の周辺機器に接続された情報処理装置であって、前記周辺機器の電源設定情報を管理する電源制御テーブルと、前記１または２以上の周辺機器の電源投入／切断を制御する制御部と、を備え、前記制御部は、所定の取引業務を実行する際に、前記電源制御テーブルの前記周辺機器の電源設定情報に基づいて、前記周辺機器の電源投入／切断を制御することを特徴とする、情報処理装置が提供される。
【０００９】
かかる構成によれば、所定の取引業務を実行する際に、電源制御テーブルの周辺機器の電源設定情報に基づいて、周辺機器の電源投入／切断を制御する。これにより、情報処理装置に接続された周辺機器の電源投入／切断を制御して節電効率を高めることができる。
【発明の効果】
【００１０】
本発明によれば、情報処理装置に接続された周辺機器の電源投入／切断を制御して節電効率を高めることができる。
【図面の簡単な説明】
【００１１】
【図１】本発明の一実施形態に係る情報処理システムの構成を示すブロック図である。
【図２】同実施形態にかかる電源制御テーブルの内容を示す図表である。
【図３】同実施形態にかかる電源制御テーブルの内容を示す図表である。
【図４】同実施形態にかかる取引業務処理の流れを示すフローチャートである。
【図５】同実施形態にかかる取引業務処理の流れを示すフローチャートである。
【図６】同実施形態にかかる取引業務処理の流れを示すフローチャートである。
【図７】同実施形態にかかる取引業務処理の流れを示すフローチャートである。
【図８】従来の取引業務処理の流れを示すフローチャートである。
【発明を実施するための形態】
【００１２】
以下図面について、本発明の一実施の形態を詳述する。
【００１３】
（１）情報処理システムの構成
まず、図１を参照して、情報処理システム１の構成について説明する。情報処理システム１は、主に、情報処理装置１１０、電源制御タップ１３０、情報処理装置１１０に直接接続される周辺機器１２１〜１２３、電源制御タップ１３０から電源供給を受ける周辺機器１３１〜１３６などから構成される。
【００１４】
次に、情報処理装置１１０の構成について説明する。以下では、情報処理装置１１０の一例として、銀行窓口で使用される銀行窓口端末を例示して説明する。情報処理装置１１０は、スキャナやカードリーダ、または通帳リーダなどの周辺機器を利用して各種取引業務を処理する装置である。
【００１５】
情報処理装置１１０は、ＣＰＵ（Central Processing Unit）およびメモリ等の情報処理資源を備え、パーソナルコンピュータや、ワークステーションなどを例示できる。ＣＰＵは、演算処理装置として機能し、メモリに記憶されているプログラムや演算パラメータ等にしたがって、情報処理装置１１０の動作を制御する。
【００１６】
また、図１に示すように、情報処理装置１１０には、ディスプレイ１２１、キーボード１２２及びマウス１２３の入出力装置（以降入出力装置１２１〜１２３と称して説明する場合もある。）が直接接続され、スキャナ１３１、カードリーダ１３２、通帳リーダ１３３、印鑑照合ディスプレイ１３４、現金入出金機１３５及び通帳プリンタ１３６の周辺機器（以降、周辺機器１３１〜１３６と称して説明する場合もある。）が電源制御タップ１３０を介して接続されている。
【００１７】
次に、情報処理装置１１０に直接的または間接的に接続されている周辺機器について説明する。スキャナ１３１は、銀行取引処理に利用する取引帳票や印影、本人確認資料の文字や画像などを取り込む装置である。カードリーダ１３２は、キャッシュカードの磁気ストライプの内容を読み取る装置である。通帳リーダ１３３は、預金通帳に付されている磁気ストライプの内容を読み取る装置である。印鑑照合ディスプレイ１３４は、登録されている印影を原寸大に表示する装置である。現金入出金機１３５は、現金の入金、出金を行う装置である。通帳プリンタ１３６は、預金通帳を新規に発行したり、取引の内容を預金通帳に印字したりする装置である。
【００１８】
ディスプレイ１２１、キーボード１２２及びマウス１２３は情報処理装置１１０に直接接続され、オペレータは、キーボード１２２やマウス１２３を使用して、取引処理に関する入力を行い、取引内容等がディスプレイ１２１に表示される。
【００１９】
電源制御タップ１３０は、情報処理装置１１０の指示のもと、電源ケーブル１３０ａを経由して、商用ＡＣ電源から供給される電力を、電源制御タップ１３０に接続されている周辺機器に供給する装置である。電源制御タップ１３０には、情報処理装置１１０の電源ケーブル１１０ａ、スキャナ１３１の電源ケーブル１３１ａ、カードリーダ１３２の電源ケーブル１３２ａ、通帳リーダ１３３の電源ケーブル１３３ａ、印鑑照合ディスプレイ１３４の電源ケーブル１３４ａ、現金入出金機１３５の電源ケーブル１３５ａ及び通帳プリンタ１３６の電源ケーブル１３６ａが接続されている。
【００２０】
図１では、電源ケーブル１３１ａは電源制御タップ１３０のコンセントＡ部に接続され、電源ケーブル１３２ａは電源制御タップ１３０のコンセントＢ部に接続され、電源ケーブル１３３ａは電源制御タップ１３０のコンセントＣ部に接続され、電源ケーブル１３４ａは電源制御タップ１３０のコンセントＤ部に接続され、電源ケーブル１３５ａは電源制御タップ１３０のコンセントＥ部に接続され、電源ケーブル１３６ａは電源制御タップ１３０のコンセントＦ部に接続される。周辺機器１３１〜１３６は、それぞれ、信号ケーブル１３１ｂ〜１３６ｂによって情報処理装置１１０に接続されており、情報処理装置１１０からの制御信号に基づいて各周辺機器での処理が実行される。
【００２１】
また、情報処理装置１１０のメモリには、銀行窓口業務等を行うためのプログラムが格納されている。具体的に、情報処理装置１１０のメモリには、銀行窓口業務を行うための業務アプリケーション１１１及び業務アプリケーション１１１が参照する電源制御テーブル１１２が格納されている。電源制御テーブル１１２は、周辺機器１３１〜１３６の電源制御を管理するためのテーブルである。
【００２２】
電源制御テーブル１１２には、図２に示すように、銀行窓口の取引業務毎に設けられており、各取引業務において、周辺機器１３１〜１３６のうち、いずれのタイミングでいずれの周辺機器１３１〜１３６の電源をオン／オフするかが設定されている。さらに、取引業務によっては、取引の際に使用される媒体等が異なるため、媒体毎に異なる電源制御テーブル１１２ａ〜１１２ｃが設けられている。
【００２３】
例えば、取引業務が振込処理の場合には、図２に示す電源制御テーブル１１２のテーブル００１（振込）が利用される。電源制御テーブル１１２のステージ欄には、取引業務において周辺機器を利用するタイミングを識別する情報であって、「ステージ１」では、すべての周辺機器１３１〜１３６の電源がＯＮされていることが示されている。
【００２４】
また、振込処理においては、通帳を使用する場合、カードを使用する場合、現金を使用する場合で使用する周辺機器が異なるため、使用する媒体毎に電源制御テーブル１１２ａ〜１１２ｃが用意されている。例えば、図３に示すように、通帳を使用して振込処理がされた場合には、電源制御テーブル００１ａを参照して取引業務が実行される。また、カードを使用して振込処理がされた場合には、電源制御テーブル００１ｂを参照して取引業務が実行される。また、現金を使用して振込処理がされた場合には、電源制御テーブル００１ｃを参照して取引業務が実行される。
【００２５】
電源制御テーブル１１２は、予め管理者等により設定されて情報処理装置１１０のメモリに格納されている。電源制御テーブル１１２を作成する際には、周辺機器１３１〜１３６の初期化処理時間を考慮する必要がある。例えば、業務取引処理のなかで、ある周辺機器が使用されておらず、電源をオフしても業務に支障がない場合に、その周辺機器が次に必要とされるまでの時間を想定する。そして、その周辺機器の電源をオフしてから次に使用されるまでの待ち時間が、周辺機器の電源をオンしてから周辺機器の初期化完了にかかる時間よりも長い場合に、電源をオフする設定とすべきである。
【００２６】
例えば、ある周辺機器の電源をオフしてから次にその周辺機器が使用されるまでの時間が、その周辺機器の電源をオフしてから初期化処理に要する時間よりも短い場合には、周辺機器の電源をオンした後初期化処理が完了するまで取引業務が中断してしまう可能性がある。したがって、電源制御テーブル１１２を作成する場合には、例えば、銀行窓口業務において使用される周辺機器のうち、初期化処理に時間のかかる通帳プリンタ１３６については、取引処理の開始時に電源をオンして、通帳プリンタ１３６の使用時まで電源を継続的にオンしておくように電源制御テーブル１１２に設定しておく。電源制御テーブル００１を利用した振込処理については、後で詳細に説明する。
【００２７】
図１に戻り、情報処理装置１１０の電源ケーブル１１０ａは、電源制御タップ１３０の電源ケーブル１３０ａに接続され、電源制御タップ１３０の電源ケーブル１３０ａの電力がそのまま情報処理装置１１０に供給される。また、周辺機器１３１〜１３６の電源ケーブル１３１ａ〜１３６ａは、周辺機器１３１〜１３６を個々に制御する電源オンオフ部１３０ｂに接続されている。情報処理装置１１０と電源制御タップ１３０とは、信号ケーブル１１０ｂで接続されている。電源制御タップ１３０は、情報処理装置１１０からの制御信号に応じて、電源制御タップ１３０のコンセントＡ部〜Ｆ部の電源供給を個別にオン／オフする機能を有する。
【００２８】
（３）情報処理装置を用いた取引業務処理の詳細
（３−１）従来の取引業務処理
まず、図８を参照して、従来の銀行窓口における取引業務の処理手順について説明する。図８では、銀行窓口業務における振込処理を例示して説明する。
【００２９】
図８に示すように、銀行窓口端末（情報処理装置１１０）を利用して銀行窓口業務を行うオペレータは、まず、振込票及び振込処理に必要な媒体または現金を顧客から受け取る（処理１）。ここで、振込票とは、銀行窓口に用意されている用紙であって、顧客により必要事項が記入される取引帳票である。また、振込処理に必要な媒体とは、通帳やキャッシュカードなど、振込処理時に利用される媒体である。
【００３０】
次に、オペレータは、顧客から受け取った振込票をスキャナ１３１で読み取らせる（処理２）。スキャナ１３１により読み取られた画像は情報処理装置１１０に送られる。情報処理装置１１０は、スキャナ１３１により読み取られた画像に基づいて、業務アプリケーション１１１の複数の機能のうち、振込業務の処理フローを選択して、振込業務の処理フローにしたがって取引業務を開始する。
【００３１】
上記した処理１において、顧客からいずれの媒体を受け取ったかにより、以降の振込業務の処理フローが異なってくる。すなわち、いずれの媒体を使用して振込処理を行うかにより、使用する周辺機器、または使用しない周辺機器が異なってくる。例えば、図８に示す振込処理では、以下の３つの場合の処理フローについて説明している。
（１）顧客の口座有り、通帳持参の場合
（２）顧客の口座有り、キャッシュカード持参の場合
（３）顧客の口座なし、現金持参の場合
【００３２】
例えば、処理３において、情報処理装置１１０は、顧客から受け取った通帳が通帳リーダ１３３で読み取られた場合、顧客が口座を保有しており、かつ、持参した通帳を利用した上記（１）の場合の取引であると判断することができる。情報処理装置１１０の業務アプリケーション１１１は、通帳リーダ１３３で顧客が持参した通帳が読み取られた場合に、（１）の場合の取引業務処理を実行する。
【００３３】
また、処理３において、情報処理装置１１０は、顧客から受け取ったキャッシュカードの磁気ストライプがカードリーダ１３２で読み取られた場合、顧客が口座を保有しており、かつ、持参したカードを利用した上記（２）の場合の取引であると判断することができる。情報処理装置１１０の業務アプリケーション１１１は、カードリーダ１３２で顧客が持参したカードが読み取られた場合に、（２）の場合の取引業務処理を実行する。
【００３４】
また、処理３において、情報処理装置１１０は、顧客から通帳もキャッシュカードの読み取りが行われず、媒体の読み取り操作がキャンセルされた場合には、顧客の口座がない上記（３）の場合の取引であると判断することができる。情報処理装置１１０の業務アプリケーション１１１は、通帳の読み取りもキャッシュカードの読み取りも行われなかった場合に、（３）の場合の取引業務処理を実行する。
【００３５】
上記（１）の場合には、処理３において通帳の読み取り処理が行われた後、スキャナ１３１により印影の読み取りが行われる（処理４）。そして、印鑑照合ディスプレイ１３４を使用して、処理４で読み取られた印影と登録されている印鑑の画像とが照合される（処理５）。そして、オペレータは、振込の相手先の口座の照会処理をして（処理７）、手数料の計算を行い（処理８）、振込の仕向口への入金を実施する（処理１１）。そして、オペレータは、領収書に押印して（処理１２）、入金副票を受領し（処理１３）、振込を発信する（処理１４）。最後に、オペレータは、通帳プリンタ１３６を利用して通帳記帳を行う（処理１５）。そして、オペレータは、顧客を呼出して（処理１６）、入金副票や通帳等を手交して（処理１７）、取引業務を完了する（処理１８）。
【００３６】
また、上記（２）の場合には、処理３においてキャッシュカードの読み取り処理が行われた後、本人確認が行われる（処理６）。そして、オペレータは、振込の相手先の口座の照会処理をして（処理７）、手数料の計算を行い（処理８）、振込の仕向口への入金を実施する（処理１１）。そして、オペレータは、領収書に押印して（処理１２）、入金副票を受領し（処理１３）、振込を発信する（処理１４）。そして、オペレータは、顧客を呼出して（処理１６）、入金副票や通帳等を手交して（処理１７）、取引業務を完了する（処理１８）。
【００３７】
また、上記（３）の場合には、処理３において、通帳の読み取り処理もキャッシュカードの読み取り処理も行われず、本人確認が行われる（処理６）。そして、オペレータは、振込の相手先の口座の照会処理をして（処理７）、手数料の計算を行う（処理８）。そして、オペレータは、顧客から現金を受け取って（処理９）、現金入出金機１３５を用いて現金を入金して（処理１０）、振込の仕向口への入金を実施する（処理１１）。そして、オペレータは、領収書に押印して（処理１２）、入金副票を受領し（処理１３）、振込を発信する（処理１４）。そして、オペレータは、顧客を呼出して（処理１６）、入金副票や通帳等を顧客に手交して（処理１７）、取引業務を完了する（処理１８）。
【００３８】
上記（１）の場合に使用される周辺機器は、上記処理４で印影読み取りに利用されるスキャナ１３１、上記処理５で印鑑照合に利用される印鑑照合ディスプレイ１３４及び上記処理１５で通帳記帳に利用される通帳プリンタ１３６である。また、上記（２）の場合には、処理３でキャッシュカードの読み取りが行われた後は、周辺機器は使用されない。また、上記（３）の場合に使用される周辺機器は、上記処理１０で現金入金に利用される現金入出金機１３５である。このように、振込処理における業務取引処理において、顧客から受け取る媒体等に応じて使用される周辺機器や、使用されない周辺機器が異なってくる。使用されない周辺機器について電源を継続的にオンしておく必要はないため、本実施の形態では、取引業務のなかで使用しないことが判明した時点で、使用しない周辺機器の電源をオフにしておく。これにより、情報処理装置１１０の周辺機器の節電効率を高めることができる。
【００３９】
（３−２）本実施の形態にかかる取引業務処理
次に、図４〜７を参照して、本実施の形態にかかる取引業務処理について説明する。また、取引業務処理を説明するに際して、適宜図２及び図３の電源制御テーブル１１２を参照する。図４に示すように、銀行窓口端末（情報処理装置１１０）を利用して銀行窓口業務を行うオペレータにより、振込票及び振込処理に必要な媒体（通帳又はキャッシュカード）または現金が顧客から受け取られる（ステップＳ１０１）。
【００４０】
次に、オペレータの入力に応じて、顧客から受け取られた振込票がスキャナ１３１に読み取られる（ステップＳ１０２）。スキャナ１３１により読み取られた画像は情報処理装置１１０に送られる。情報処理装置１１０は、スキャナ１３１により読み取られた画像に基づいて、業務アプリケーション１１１の複数の機能のうち、振込業務の処理フローを選択する。情報処理装置１１０は、振込業務の処理フローを選択する際に、電源制御テーブル１１２のうち、振込業務に対応するテーブル００１を呼出し（Ｓ１０３）、テーブル００１のステージ１を実行する（Ｓ１０４）。
【００４１】
ステップＳ１０４において、業務アプリケーション１１１は、図２の電源制御テーブル１１２のテーブル００１を参照する。テーブル００１のステージ１では、すべての周辺機器１３１〜１３６について「ＯＮ」が設定されている。このため、業務アプリケーション１１１は、ステップＳ１０４において、すべての周辺機器１３１〜１３６の電源をＯＮにする。具体的に、業務アプリケーション１１１は、信号ケーブル１１０ｂを経由して、電源制御タップ１３０の電源オンオフ部１３０ｂに対して、コンセントＡ〜Ｆ部のすべてに対して電源をオンするように指示する。ここで、もともと電源がオンとなっていた周辺機器については、そのまま継続的に電源がオンされ、電源がオフとなっていた周辺機器については、電源が投入される。
【００４２】
続いて、情報処理装置１１０の業務アプリケーション１１１は、通帳リーダ１３３により顧客の通帳が読み取られたかを判定する（Ｓ１０５）。ステップＳ１０５において、顧客の通帳が通帳リーダ１３３により読み取られたと判定された場合には、情報処理装置１１０の業務アプリケーション１１１は、通帳を用いた振込処理を実行する（Ｓ１０７）。
【００４３】
一方、ステップＳ１０５において、顧客の通帳が通帳リーダ１３３により読み取られていないと判定された場合には、情報処理装置１１０の業務アプリケーション１１１は、顧客のキャッシュカードがカードリーダ１３２により読み取られたかを判定する（Ｓ１０６）。ステップＳ１０６において、顧客のキャッシュカードがカードリーダ１３２により読み取られたと判定された場合には、情報処理装置１１０の業務アプリケーション１１１は、キャッシュカードを用いた振込処理を実行する（Ｓ１０８）。
【００４４】
一方、ステップＳ１０６において、顧客のキャッシュカードがカードリーダ１３２により読み取られていないと判定された場合には、情報処理装置１１０の業務アプリケーション１１１は、現金を用いた振込処理を実行する（Ｓ１１０）。
【００４５】
ステップＳ１０７における通帳振込処理、ステップＳ１０８におけるカード振込処理、ステップＳ１１０における現金振込処理のいずれかを実行した後、オペレータにより、顧客が呼び出され（Ｓ１１１）、入金副票や通帳等が顧客に手交されて（Ｓ１１２）、取引業務を完了する。
【００４６】
（３−２−１）通帳振込処理の詳細
次に、図５を参照して、ステップＳ１０７における通帳振込処理の詳細について説明する。図５に示すように、業務アプリケーション１１１は、電源制御テーブル１１２のテーブル００１ａを呼出し（Ｓ２０１）、テーブル００１ａのステージ２を実行する（Ｓ２０２）。
【００４７】
ステップＳ２０２において、業務アプリケーション１１１は、図３の電源制御テーブル１１２のテーブル００１ａを参照する。テーブル００１ａのステージ２では、スキャナ１３１はＯＮ、カードリーダ１３２はＯＦＦ、通帳リーダ１３３はＯＦＦ、印鑑照合ディスプレイ１３４はＯＮ、現金入出金機１３５はＯＦＦ、通帳プリンタ１３６はＯＮが設定されている。このため、業務アプリケーション１１１は、電源制御テーブル１１０ｂを経由して、電源制御タップ１３０の電源オンオフ部１３０ｂに対して、コンセントＢ部、Ｃ部、Ｅ部に対して電源をオフするように指示する。これにより、スキャナ１３１の電源はオン、カードリーダ１３２の電源はオフ、通帳リーダ１３３の電源はオフ、印鑑照合ディスプレイ１３４の電源はオン、現金入出金機１３５の電源はオフ、通帳プリンタ１３６の電源はオンの状態となる。ここで、通帳プリンタ１３６は、取引業務の後半の処理で使用されるが、初期化処理に時間がかかるため、ステップＳ２０２において電源がオンされる。
【００４８】
次に、スキャナ１３１により印影の読み取りが行われ（Ｓ２０３）、印鑑照合ディスプレイ１３４を使用して、ステップＳ２０３において読み取られた印影と登録されている印鑑の画像とが照合される（Ｓ２０４）。そして、オペレータの入力に応じて、振込の相手先の口座の照会処理が実行される（Ｓ２０５）。
【００４９】
次に、業務アプリケーション１１１は、電源制御テーブル１１２のテーブル００１ａのステージ３を実行する（Ｓ２０６）。テーブル００１ａのステージ３では、スキャナ１３１はＯＦＦ、カードリーダ１３２はＯＦＦ、通帳リーダ１３３はＯＦＦ、印鑑照合ディスプレイ１３４はＯＦＦ、現金入出金機１３５はＯＦＦ、通帳プリンタ１３６はＯＮが設定されている。このため、業務アプリケーション１１１は、電源制御テーブル１１０ｂを経由して、電源制御タップ１３０の電源オンオフ部１３０ｂに対して、コンセントＡ部及びＤ部に対して電源をオフするように指示する。これにより、スキャナ１３１の電源はオフ、カードリーダ１３２の電源はオフ、通帳リーダ１３３の電源はオフ、印鑑照合ディスプレイ１３４の電下はオフ、現金入出金機１３５の電源はオフ、通帳プリンタ１３６の電源はオンとなる。
【００５０】
次に、オペレータにより手数料の計算が行われて（Ｓ２０７）、振込の仕向口への入金が実施される（Ｓ２０８）。そして、オペレータにより領収書に押印がなされて（Ｓ２０９）、入金副票が受領され（Ｓ２１０）、振込が発信される（Ｓ２１１）。そして、オペレータは、通帳プリンタ１３６を利用して通帳記帳を行う（Ｓ２１２）。
【００５１】
次に、業務アプリケーション１１１は、電源制御テーブル１１２のテーブル００１ａのステージ４を実行する（Ｓ２１３）。テーブル００１ａのステージ４では、スキャナ１３１はＯＮ、カードリーダ１３２はＯＦＦ、通帳リーダ１３３はＯＦＦ、印鑑照合ディスプレイ１３４はＯＦＦ、現金入出金機１３５はＯＦＦ、通帳プリンタ１３６はＯＦＦが設定されている。このため、業務アプリケーション１１１は、電源制御テーブル１１０ｂを経由して、電源制御タップ１３０の電源オンオフ部１３０ｂに対して、コンセントＡ部に対して電源をオン、コンセントＦ部に対して電源をオフするように指示する。これにより、スキャナ１３１の電源はオン、カードリーダ１３２の電源はオフ、通帳リーダ１３３の電源はオフ、印鑑照合ディスプレイ１３４の電源はオフ、現金入出金機１３５の電源はオフ、通帳プリンタ１３６の電源はオフとなる。ここで、スキャナ１３１は、取引業務の最初（ステップＳ１０２）において必ず使用されるため、ステップＳ２１３において電源がオンされる。
【００５２】
（３−２−２）カード振込処理の詳細
次に、図６を参照して、ステップＳ１０８におけるカード振込処理の詳細について説明する。図６に示すように、業務アプリケーション１１１は、電源制御テーブル１１２のテーブル００１ｂを呼出し（Ｓ３０１）、テーブル００１ｂのステージ２を実行する（Ｓ３０２）。
【００５３】
ステップＳ３０２において、業務アプリケーション１１１は、図３の電源制御テーブル１１２のテーブル００１ｂを参照する。テーブル００１ｂのステージ２では、スキャナ１３１はＯＮ、カードリーダ１３２はＯＦＦ、通帳リーダ１３３はＯＦＦ、印鑑照合ディスプレイ１３４はＯＮ、現金入出金機１３５はＯＦＦ、通帳プリンタ１３６はＯＦＦが設定されている。このため、業務アプリケーション１１１は、電源制御テーブル１１０ｂを経由して、電源制御タップ１３０の電源オンオフ部１３０ｂに対して、コンセントＢ部、Ｃ部、Ｅ部、Ｆ部に対して電源をオフするように指示する。これにより、スキャナ１３１の電源はオン、カードリーダ１３２の電源はオフ、通帳リーダ１３３の電源はオフ、印鑑照合ディスプレイ１３４の電源はオン、現金入出金機１３５の電源はオフ、通帳プリンタ１３６の電源はオフとなる。
【００５４】
次に、本人確認が行われる（Ｓ３０３）。そして、オペレータの入力に応じて、振込の相手先の口座の照会処理が実行される（Ｓ３０４）。
【００５５】
次に、業務アプリケーション１１１は、電源制御テーブル１１２のテーブル００１ｂのステージ３を実行する（Ｓ３０５）。テーブル００１ｂのステージ３では、スキャナ１３１はＯＦＦ、カードリーダ１３２はＯＦＦ、通帳リーダ１３３はＯＦＦ、印鑑照合ディスプレイ１３４はＯＦＦ、現金入出金機１３５はＯＦＦ、通帳プリンタ１３６はＯＦＦが設定されている。このため、業務アプリケーション１１１は、電源制御テーブル１１０ｂを経由して、電源制御タップ１３０の電源オンオフ部１３０ｂに対して、コンセントＡ部及びＤ部に対して電源をオフするように指示する。これにより、スキャナ１３１の電源はオフ、カードリーダ１３２の電源はオフ、通帳リーダ１３３の電源はオフ、印鑑照合ディスプレイ１３４の電源はオフ、現金入出金機１３５の電源はオフ、通帳プリンタ１３６の電源はオフとなる。
【００５６】
次に、オペレータにより手数料の計算が行われて（Ｓ３０６）、振込の仕向口への入金が実施される（Ｓ３０７）。そして、オペレータにより領収書に押印がなされて（Ｓ３０８）、入金副票が受領され（Ｓ３０９）、振込が発信される（Ｓ３１０）。
【００５７】
次に、業務アプリケーション１１１は、電源制御テーブル１１２のテーブル００１ｂのステージ４を実行する（Ｓ３１１）。テーブル００１ｂのステージ４では、スキャナ１３１はＯＮ、カードリーダ１３２はＯＦＦ、通帳リーダ１３３はＯＦＦ、印鑑照合ディスプレイ１３４はＯＦＦ、現金入出金機１３５はＯＦＦ、通帳プリンタ１３６はＯＦＦが設定されている。このため、業務アプリケーション１１１は、電源制御テーブル１１０ｂを経由して、電源制御タップ１３０の電源オンオフ部１３０ｂに対して、コンセントＡ部に対して電源をオンにするよう指示する。これにより、スキャナ１３１の電源はオン、カードリーダ１３２の電源はオフ、通帳リーダ１３３の電源はオフ、印鑑照合ディスプレイ１３４の電源はオフ、現金入出金機１３５の電源はオフ、通帳プリンタ１３６の電源はオフとなる。
【００５８】
（３−２−３）現金振込処理の詳細
次に、図７を参照して、ステップＳ１１０における現金振込処理の詳細について説明する。図７に示すように、業務アプリケーション１１１は、電源制御テーブル１１２のテーブル００１ｃを呼出し（Ｓ４０１）、テーブル００１ｃのステージ２を実行する（Ｓ４０２）。
【００５９】
ステップＳ４０２において、業務アプリケーション１１１は、図３の電源制御テーブル１１２のテーブル００１ｃを参照する。テーブル００１ｃのステージ２では、スキャナ１３１はＯＮ、カードリーダ１３２はＯＦＦ、通帳リーダ１３３はＯＦＦ、印鑑照合ディスプレイ１３４はＯＦＦ、現金入出金機１３５はＯＮ、通帳プリンタ１３６はＯＦＦが設定されている。このため、業務アプリケーション１１１は、電源制御テーブル１１０ｂを経由して、電源制御タップ１３０の電源オンオフ部１３０ｂに対して、コンセントＢ部、Ｃ部、Ｄ部、Ｆ部に対して電源をＯＦＦするように指示する。これにより、スキャナ１３１はＯＮ、カードリーダ１３２はＯＦＦ、通帳リーダ１３３はＯＦＦ、印鑑照合ディスプレイ１３４はＯＦＦ、現金入出金機１３５はＯＮ、通帳プリンタ１３６はＯＦＦとなる。
【００６０】
次に、本人確認が行われる（Ｓ４０３）。そして、オペレータの入力に応じて、振込の相手先の口座の照会処理が実行される（Ｓ４０４）。
【００６１】
次に、業務アプリケーション１１１は、電源制御テーブル１１２のテーブル００１ｃのステージ３を実行する（Ｓ４０５）。テーブル００１ｃのステージ３では、スキャナ１３１はＯＦＦ、カードリーダ１３２はＯＦＦ、通帳リーダ１３３はＯＦＦ、印鑑照合ディスプレイ１３４はＯＦＦ、現金入出金機１３５はＯＮ、通帳プリンタ１３６はＯＦＦが設定されている。このため、業務アプリケーション１１１は、電源制御テーブル１１０ｂを経由して、電源制御タップ１３０の電源オンオフ部１３０ｂに対して、コンセントＡ部に対して電源をＯＦＦするように指示する。これにより、スキャナ１３１はＯＦＦ、カードリーダ１３２はＯＦＦ、通帳リーダ１３３はＯＦＦ、印鑑照合ディスプレイ１３４はＯＦＦ、現金入出金機１３５はＯＮ、通帳プリンタ１３６はＯＦＦとなる。
【００６２】
次に、オペレータにより手数料の計算が行われる（Ｓ４０６）。そして、オペレータは、顧客から現金を受け取り（Ｓ４０７）、現金入出金機１３５に現金を入金する（Ｓ４０８）。そして、振込の仕向口への入金が実施され（Ｓ４０９）、オペレータにより領収書に押印がなされる（Ｓ４１０）。そして、入金副票が受領され（Ｓ４１１）、振込が発信される（Ｓ４１２）。
【００６３】
次に、業務アプリケーション１１１は、電源制御テーブル１１２のテーブル００１ｃのステージ４を実行する（Ｓ４１３）。テーブル００１ｃのステージ４では、スキャナ１３１はＯＮ、カードリーダ１３２はＯＦＦ、通帳リーダ１３３はＯＦＦ、印鑑照合ディスプレイ１３４はＯＦＦ、現金入出金機１３５はＯＦＦ、通帳プリンタ１３６はＯＦＦが設定されている。このため、業務アプリケーション１１１は、電源制御テーブル１１０ｂを経由して、電源制御タップ１３０の電源オンオフ部１３０ｂに対して、コンセントＡ部に対して電源をオン、コンセントＥ部に対して電源をオフにするよう指示する。これにより、スキャナ１３１の電源はオン、カードリーダ１３２の電源はオフ、通帳リーダ１３３の電源はオフ、印鑑照合ディスプレイ１３４の電源はオフ、現金入出金機１３５の電源はオフ、通帳プリンタ１３６の電源はオフとなる。
【００６４】
このように、本実施の形態では、取引業務毎に、いずれのタイミングで電源をオン／オフするかを予め設定して、取引業務中に周辺機器の電源を適切にオフすることにより、情報処理システム１全体の節電効率を高めることが可能となる。
【００６５】
上記実施の形態では、銀行窓口業務のうち、特に振込処理について説明したが、かかる例に限定されず、情報処理装置１１０に周辺機器が接続されている場合に、本実施の形態を適用することができる。例えば、空港窓口業務や鉄道窓口業務における、周辺機器の電源制御に適用してもよい。すなわち、情報処理装置１１０のメモリに格納されている業務アプリケーション１１１及び電源制御テーブル１１２を、取引業務や使用する媒体に応じて適切に用意することにより、銀行窓口業務の振込処理以外の他の取引業務に本発明を適用することができる。
【００６６】
また、周辺機器のなかには、取引業務の途中で電源をオフすることができない機器や、電源をオフする前に予め特定の処理を行っておく必要があるものもある。この場合、業務アプリケーション１１１に、そのような周辺機器に特有の処理手順を付加させておくことにより、周辺機器に特有の動作をさせることが可能となる。
【００６７】
例えば、処理の途中で電源をオフすることができない機器に対して、業務アプリケーション１１１は、電源オフの指示をする前に、その周辺機器の稼働状態の情報を取得して、電源オフとすることが可能となるまで電源オフの指示を待つようにしてもよい。
【００６８】
また、例えば、電源オフの前に予め特定の処理を行っておく必要がある機器に対して、業務アプリケーション１１１は、電源オフの指示をする前に、その機器を電源オフ可能な状態に遷移させるための所定のコマンドを投入してもよい。
【００６９】
また、情報処理装置１１０のディスプレイ１２１に、いずれの周辺機器の電源オン／オフの状況が表示されてもよい。例えば、業務処理が振込処理から入金処理に変更された場合に、入金処理に必要となる周辺機器の電源がオンされる。このとき、周辺機器が立ち上がるのに時間がかかる場合に、その周辺機器が立ち上げ中である旨のメッセージがディスプレイ１２１に表示されてもよい。
【００７０】
（４）本実施の形態の効果
以上のように、本実施の形態による情報処理システム１では、銀行窓口の業務などの取引業務を実行する際に、各処理段階（ステージ）において対応する電源制御テーブル１１２を呼び出し、該電源制御テーブル１１２の周辺機器１３１〜１３６の電源設定情報に基づいて、周辺機器１３１〜１３６の電源投入／切断を制御する。これにより、情報処理装置に接続された周辺機器の電源オン／オフを制御して節電効率を高めることができる。
【符号の説明】
【００７１】
１        情報処理システム
１１０    情報処理装置
１３０    電源制御タップ
１３１    スキャナ
１３２    カードリーダ
１３３    通帳リーダ
１３４    印鑑照合ディスプレイ
１３５    現金入出金機
１３６    通帳プリンタ
【図１】
2013109507.tif 000003
【図２】
2013109507.tif 000004
【図３】
2013109507.tif 000005
【図４】
2013109507.tif 000006
【図５】
2013109507.tif 000007
【図６】
2013109507.tif 000008
【図７】
2013109507.tif 000009
【図８】
2013109507.tif 000010